(57)【要約】【課題】経時により口縁部の巻き込みが緩むことのない、また、リムはねの起こらない口縁部を二重に巻いた紙カップを提供すること。【解決手段】内側面にポリエチレン樹脂層（２）が設けられた紙（３）を基材とする樹脂加工紙（１）から構成され、胴部（１０）と底部（１１）とからなり、開口部周縁が外側に巻き込まれた口縁部（１３）を有する紙カップ（２０）であって、胴部を形成する扇形状の胴紙（１０）の紙面側の上部端縁には周方向に一定幅の接着層（４）が形成されており、その接着層は感圧接着剤やヒートシールニスから構成されている。【選択図】図１
2004075156.tif 000002
【特許請求の範囲】
【請求項１】
内側面にポリエチレン樹脂層が設けられた紙を基材とする樹脂加工紙から構成され、胴部と底部とからなり、開口部周縁が外側に巻き込まれた口縁部を有する紙カップであって、
前記胴部を形成する扇形状の胴紙の紙面側の上部端縁には周方向に一定幅の接着層が形成されていることを特徴とする紙カップ。
【請求項２】
前記接着層が感圧接着剤から構成されていることを特徴とする請求項１記載の紙カップ。
【請求項３】
前記接着層がヒートシールニスから構成されていることを特徴とする請求項１記載の紙カップ。
【請求項４】
前記接着層が胴部材の紙面側に上端縁より内方に向けて１０ｍｍ幅の範囲で形成されていることを特徴とする請求項１、２又は３記載の紙カップ。
【請求項５】
前記口縁部が、巻き込まれる胴紙の先端が一回転半して口縁部の外側まで達していることを特徴とする請求項１、２、３又は４記載の紙カップ。
【発明の詳細な説明】
【０００１】
【発明の属する技術分野】
本発明は、口縁部の巻き込み量を増やして口縁部の横押し強度を向上させた紙カップに関し、特には、経時により口縁部の巻き込みが緩まない紙カップに関する。
【０００２】
【従来の技術】
紙カップは、一般的には、図３に示すように、扇形状の胴紙（１０）の一方の端縁をもう一方の端縁に重ね合わせて接合させ胴部貼り合わせ部（１２）を形成させ、下方に向かって先細る円筒形状の胴部材とし、別に底部材用ロールからほぼ円形状に打ち抜かれた底紙（１１）を周縁部を下向きに起立させて底部材とし、前記胴部材の下部内面に底部材の周縁部の内面を接合させ、さらに周縁部を覆うように前記胴部材の下端縁部が内方に折り曲げられ、前記底部材の周縁部の外面に接合して底部を構成させ、最後に胴部材の上部周縁を外方に向けて巻き込み、口縁部（１３）を形成させたものである。
【０００３】
また、紙カップの口縁部（１３）の形成工程を詳細に述べるならば、図４に示すように、紙カップの胴部を、通常はプレカール金型（２１）やフィニッシュカール金型（２２）を回転させながら垂直方向に押さえて形成させている。
【０００４】
そして口縁部の巻き込みの程度は、通常の紙カップ成形機を用いて作製した場合、一般的には、巻き込まれる胴紙の先端（１４）が、一回転して紙カップの頂部に来た段階までである（図５参照）。
【０００５】
一方、平成７年に公布された「容器包装に係わる分別収集及び再商品化の促進等に関する法律」などの関係で、例えば、従来、坪量２５０ｇ／ｍ２　のカップ原紙を使用していた紙カップを、坪量２００〜２１０ｇ／ｍ２　のカップ原紙を使用して成形した紙カップに置き換えるといった、紙カップに使用するカップ原紙の坪量を下げようとする動きがある。坪量を下げると、胴部や口縁部の横押し強度が弱くなるという問題が発生する。
【０００６】
胴部や口縁部の横押し強度が弱いと、例えば、内容物の入った紙カップを手で持った際に、紙カップが変形して飲食し難くなり、また、中身がこぼれ易くなるといった問題が生じることがある。
【０００７】
坪量を下げても横押し強度が低下しないようにするための方法として、口縁部の巻き込みの程度を増やす検討が進められ、現在では、図２（ｂ）に示すように、巻き込まれる胴紙の先端（１４）が一回転半して、口縁部の外側方向まで達している紙カップを作製することができるようになった（以下二重巻きカップと呼ぶ）。
【０００８】
しかしながら、二重巻きカップは、▲１▼強制的に口縁部を巻いているため経時で巻きが甘くなる（ゆるんで巻きが大きくなる）、▲２▼胴部貼り合わせ部の接着が甘いものは、形よく巻き込むことができず顕著にリムはね（胴部貼り合わせ部が巻けない状態）がわかる、等の問題がある。
【０００９】
【発明が解決しようとする課題】
本発明は、二重巻きカップに関する以上のような問題点を解決するためになされたもので、経時により口縁部の巻き込みがゆるむことのない、また、リムはねの起こらない口縁部を二重に巻いた紙カップを提供することを課題とする。
【００１０】
【課題を解決するための手段】
本発明の請求項１の発明は、内側面にポリエチレン樹脂層が設けられた紙を基材とする樹脂加工紙から構成され、胴部と底部とからなり、開口部周縁が外側に巻き込まれた口縁部を有する紙カップであって、前記胴部を形成する扇形状の胴紙の紙面側の上部端縁には周方向に一定幅の接着層が形成されていることを特徴とする紙カップである。
【００１１】
このように請求項１記載の発明によれば、胴部を形成する扇形状の胴紙の紙面側の上部端縁には周方向に一定幅の接着層が形成されているので、紙面側に形成された接着層は隣り合うポリエチレン樹脂層と接着して巻き込まれた口縁部は固定され、時が経過しても口縁部の巻き込みが緩むことはない。
【００１２】
また、請求項２の発明は、請求項１の発明において、前記接着層が感圧接着剤から構成されていることを特徴とする紙カップである。
【００１３】
このように請求項２記載の発明によれば、接着層が感圧接着剤から構成されているので、巻き込み時の圧力で接着層は隣り合うポリエチレン樹脂層と接着して巻き込まれた口縁部は固定され、時が経過しても口縁部の巻き込みが緩むことはない。
【００１４】
また、請求項３の発明は、請求項１の発明において、前記接着層がヒートシールニスから構成されていることを特徴とする紙カップである。
【００１５】
このように請求項３記載の発明によれば、接着層がヒートシールニスから構成されているので、巻き込み時の熱で接着層は隣り合うポリエチレン樹脂層と接着して巻き込まれた口縁部は固定され、時が経過しても口縁部の巻き込みが緩むことはない。
【００１６】
また、請求項４の発明は、請求項１、２又は３の発明において、前記接着層が、胴部材の紙面側に上端縁より内方に向けて１０ｍｍ幅の範囲で形成されていることを特徴とする紙カップである。
【００１７】
このように請求項４記載の発明によれば、接着層は胴部材の紙面側に上端縁より内方に向けて１０ｍｍ幅の範囲で形成されているので、７０〜９０ｍｍ程度の口径を有する一般的な紙カップでは、巻き込まれた口縁部のほぼ全体に接着層が設けられ、口縁部はしっかりと固着される。
【００１８】
また、請求項５の発明は、請求項１、２、３又は４の発明において、前記口縁部が、巻き込まれる胴紙の先端が一回転半して口縁部の外側まで達していることを特徴とする紙カップである。
【００１９】
このように請求項５記載の発明によれば、巻き込まれる胴紙の先端が一回転半して口縁部の外側まで達している口縁部を有しているので、口縁部が固く横押し強度が強い。
【００２０】
【発明の実施の形態】
本発明の紙カップを一実施形態に基づいて以下に詳細に説明する。
本発明の紙カップは、例えば、図１、図２に示すように、内側面にポリエチレン樹脂層（２）が設けられた紙（３）を基材とする樹脂加工紙（１）から構成され、胴部（１０）と底部（１１）とからなり、開口部周縁が外側に巻き込まれた口縁部（１３）を有する紙カップ（２０）である。
【００２１】
そして、特徴とするところは、胴部を形成する扇形状の胴紙（１０）の紙面側の上部端縁には周方向に一定幅の接着層（４）が形成されているものである。
【００２２】
接着層（４）は、ポリエチレン樹脂層（２）と接着性の良い、アクリル樹脂系、ゴム系等の感圧接着剤、あるいは、エチレン・酢酸ビニル共重合体樹脂系、ポリエステル樹脂系、アクリル樹脂系等のヒートシールニスを、感圧接着剤、ヒートシールニスとも３〜５ｇ／ｍ２　（固形分）程度塗布して形成される。
塗布方法は、グラビア塗布法等の公知の塗布方法を用いれば良い。
【００２３】
接着層（４）は、胴紙の紙面側の上部周縁に周方向に一定の幅で形成させれば良いが、口径が７０〜９０ｍｍ程度の一般的な紙カップにおいては、上端縁より内方に１０ｍｍ幅の範囲で形成させると、口縁部を巻き込んだ際、口縁部全体に接着層が行き渡り口縁部はしっかりと固着されるので好ましい。
【００２４】
特に、巻き込まれる胴紙の先端（１４）が一回転半して、口縁部の外側方向にまで達している二重巻きカップのような巻き込み量の多いカップは、接着層を設けることにより経時により巻きが戻ることがなく効果が大きい。
【００２５】
【発明の効果】
上記のように、本発明の紙カップは、下記に示す如き効果がある。
即ち、胴紙の紙面側の上部端縁に周方向に一定幅の接着層を形成させることにより、口縁部が固着されて時間が経過しても口縁部の巻きが緩むことがない。
特に二重巻きカップにおいて効果が大きい。
坪量を下げた紙カップを成形しても、坪量を下げる前と同等以上の横押し強度を有する紙カップを作製することが可能になる。
【図面の簡単な説明】
【図１】本発明の紙カップに使用する胴紙の一実施例を示す、（ａ）は平面説明図であり、（ｂ）は（ａ）のＡ−Ａ’線断面説明図である。
【図２】本発明の紙カップの一実施例を示す、（ａ）は部分断面説明図であり、（ｂ）は（ａ）のＡ部拡大断面説明図である。
【図３】紙カップの作製工程を示す、説明図である。
【図４】紙カップの口縁部の一般的な製造工程の一例を示す、模式説明図である。
【図５】従来の紙カップの口縁部の巻き込み状態を示す、部分断面説明図である。
【符号の説明】
１‥‥樹脂加工紙
２‥‥ポリエチレン樹脂層
３‥‥紙
４‥‥接着層
１０‥‥胴紙、胴部
１１‥‥底紙、底部
１２‥‥胴部貼り合わせ部
１３‥‥口縁部
１４‥‥巻き込まれる胴紙の先端
２０‥‥紙カップ
２１‥‥プレカール金型
２２‥‥フィニッシュカール金型
【図１】
2004075156.tif 000003
【図２】
2004075156.tif 000004
【図３】
2004075156.tif 000005
【図４】
2004075156.tif 000006
【図５】
2004075156.tif 000007